(57)【要約】【課題】非表示領域が生じることなくパーシャル駆動とほぼ同等の低消費電力を実現することのできる液晶表示装置の駆動方法および装置を提供する。【解決手段】液晶表示パネル１に設けた走査電極ＣＯＭ１〜ｎと信号電極ＳＥＧ１〜ｍに所定の波形の走査電圧および信号電圧を印加して液晶を駆動するとともに、液晶表示パネル１の一部の領域を非表示領域Ａ，Ｂとするパーシャル駆動式パッシブ型の液晶表示装置の駆動方法において、パーシャル駆動される表示領域の画素ライン以外の非表示領域Ａ，Ｂの画素ラインＣＯＭ１〜９，ＣＯＭ２０〜ｎを、表示領域の画素ラインのいずれかに印加する走査電圧と同じ走査電圧で駆動する液晶表示装置の駆動方法。【選択図】図１
2005121781.tif 000002
【特許請求の範囲】
【請求項１】
液晶表示パネルに設けた走査電極と信号電極に所定の波形の走査電圧および信号電圧を印加して液晶を駆動するとともに、前記表示パネルの一部の領域を非表示領域とするパーシャル駆動式パッシブ型の液晶表示装置の駆動方法において、
前記パーシャル駆動される表示領域の画素ライン以外の非表示領域の画素ラインを、前記表示領域の画素ラインのいずれかに印加する走査電圧と同じ走査電圧で駆動することを特徴とする液晶表示装置の駆動方法。
【請求項２】
前記表示領域の少なくとも１つの画素ラインに背景用のダミーラインを設けておき、そのダミーラインに印加する走査電圧と同じ走査電圧を前記非表示領域の画素ラインに印加することを特徴とする請求項１記載の液晶表示装置の駆動方法。
【請求項３】
液晶表示パネルに設けた走査電極と信号電極に所定の波形の走査電圧および信号電圧を印加して液晶を駆動するとともに、前記表示パネルの一部の領域を非表示領域とするパーシャル駆動式パッシブ型の液晶表示装置の駆動装置において、
前記パーシャル駆動される表示領域の画素ライン以外の非表示領域の画素ラインを、前記表示領域の画素ラインのいずれかに印加する走査電圧と同じ走査電圧で駆動する手段を備えたことを特徴とする液晶表示装置の駆動装置。
【請求項４】
前記表示領域の少なくとも１つの画素ラインに設けた背景用のダミーラインに印加する走査電圧と同じ走査電圧を前記非表示領域の画素ラインに印加する手段を設けたことを特徴とする請求項３記載の液晶表示装置の駆動装置。
【発明の詳細な説明】
【技術分野】
【０００１】
本発明は、液晶表示装置の駆動方法および装置に係り、特に、パーシャル駆動式パッシブ型液晶を備えた液晶表示装置の駆動方法および装置に関する。
【背景技術】
【０００２】
従来のパッシブ型液晶表示装置の駆動方法と駆動装置を、図５および図６を用いて説明する。図５はパッシブ型液晶表示装置の駆動装置を示すブロック図、図６はその駆動方法を示す説明図である。
【０００３】
図５において、液晶表示装置の駆動装置は、マトリックス状に構成された液晶表示パネル１と、この液晶表示パネル１の縦方向のＣＯＭライン電極（走査電極）と横方向のＳＥＧライン電極（信号電極）に駆動信号を印加する液晶駆動回路２と、液晶駆動回路２に駆動電圧を与える液晶駆動電源回路３と、液晶駆動回路２に液晶表示信号生成のための論理信号を与えるロジック回路４と、内部回路の基準クロックを発生するタイミング発生回路５と、プロセッサユニットのインターフェース部６と、液晶表示装置へ駆動信号を与えるプロセッサユニット７と、電池等の電源８とから構成されている。
【０００４】
液晶駆動回路２と液晶駆動電源回路３とロジック回路４とタイミング発生回路５は、ドライバーＩＣ２０内に搭載されている。液晶駆動電源回路３には、電源８の電圧を昇圧する昇圧回路、液晶表示パネル１のコントラストを調整するコントラスト調整回路等が含まれている。またロジック回路４には、制御回路、メモリ等が含まれている。
【０００５】
液晶駆動回路２から出力されるＣＯＭ信号とＳＥＧ信号は、図６（ａ）に示すように、ｎ×ｍ画素の液晶表示パネル１のＣＯＭ１，ＣＯＭ２，・・・，ＣＯＭｎと、ＳＥＧ１，ＳＥＧ２，・・・，ＳＥＧｍに与えられる。図６（ａ）において斜線の□で示す選択画素を表示するための印加電圧波形を図６（ｂ）に示す。ＣＯＭ１〜ＣＯＭｎの信号は走査信号といわれ、１フレーム（ｎ列）分のＣＯＭライン電極を順次オンさせる。次の１フレーム（奇数フレーム）では、電圧の極性を反転させて液晶の劣化を防ぐ。ＳＥＧ１〜ＳＥＧｍの信号は、選択画素の液晶に、ＯＮ電圧を与えるものであり、走査信号の電圧との差が選択電圧ＶＬＣＤとなったときに液晶が駆動される。なお、図６（ｂ）中のＶ１〜Ｖ４は液晶パネルへの印加電圧を時分割して与えるための電圧、ＶＳＳはＳＥＧ信号，ＣＯＭ信号の最低電位となる電圧である。
【０００６】
この駆動方法では、１画素へ印加される選択電圧ＶＬＣＤは、１フレーム毎に１回であるため、デューティ数ｎが増加するほど、実効電圧が低くなる。このため、液晶をＯＮするために必要な選択電圧ＶＬＣＤが高くなる特性がある。
【０００７】
特に、携帯電話用の液晶表示装置では、ドライバーＩＣ２０へ供給される電源電圧は、２．５Ｖ〜３．５Ｖ程度である。これに対して携帯電話等で使用される小型液晶表示パネルを駆動するのに必要なＯＮ電圧は５〜２０Ｖで、駆動デューティ数ｎが多いほど高い電圧が必要になる。
【０００８】
一般的に、液晶表示装置では、ＯＮ電圧を供給するために、ドライバーＩＣ２０への電源電圧をドライバーＩＣ２０内部の液晶駆動電源回路３に含まれている昇圧回路によって、２〜７倍程度に昇圧を行っている。
【０００９】
しかし、昇圧回路を使用すると昇圧倍数が多いほどドライバーＩＣ２０が消費する消費電力が大きくなってしまう欠点がある。したがって、低消費電力のためには、なるべく昇圧倍数を減らすことが必要となる。
【００１０】
パッシブ型液晶の駆動方法において、低消費電力化を図る手段としてパーシャル駆動方式がある。パーシャル駆動方式とは、図７に示すように液晶表示パネルの一部分のみを表示し、消費電力を削減する方法である。
【００１１】
図７（ａ）は、ＣＯＭ１〜９およびＣＯＭ２０〜ｎを非表示領域としている液晶表示パネルを示し、（ｂ）はその駆動電流を示している。非表示領域のＣＯＭラインに対しては、ＳＥＧラインに印加する電圧と同方向のＶ１とＶ４の電圧を１フレーム毎に反転させて印加することで、非表示領域の画素を非表示とする。
【００１２】
このように、ドライバーＩＣ２０からの駆動信号のデューティ数を最大のｎに対して可変にして表示領域を狭めることにより、デューティ数を例えば１０に減らし、低消費電力駆動を行う。
【００１３】
このとき、非表示領域へは、常時非選択信号を出力することになる。
【００１４】
なお、この出願の発明に関する先行技術文献情報としては、例えば特許文献１が知られている。
【特許文献１】特開平１１−１８４４３４号公報
【発明の開示】
【発明が解決しようとする課題】
【００１５】
しかしながら、上述した従来のパーシャル駆動方式においては、液晶画面中に非表示領域が生じる。特に、カラー液晶等のノーマリーブラック液晶などで使用した場合、非表示領域は常に黒表示となってしまい、一部のみの表示点灯が目立って不自然な表示状態となる。
【００１６】
本発明は、非表示領域が生じることなくパーシャル駆動とほぼ同等の低消費電力を実現することのできる液晶表示装置の駆動方法および装置を提供することを目的とする。
【課題を解決するための手段】
【００１７】
本発明の液晶表示装置の駆動方法および装置においては、パーシャル駆動される表示領域の画素ライン以外の非表示領域の画素ラインを、前記表示領域の画素ラインのいずれかに印加する走査電圧と同じ走査電圧で駆動するようにしたものである。
【００１８】
この発明によれば、非表示領域が生じることなくパーシャル駆動とほぼ同等の低消費電力を実現することのできる液晶表示装置の駆動方法および装置が得られる。
【発明の効果】
【００１９】
以上のように本発明によれば、パーシャル駆動式の液晶駆動方法および装置において、非表示領域へも駆動波形を出力することにより、従来のパーシャル駆動方式の欠点であった非表示領域をなくすことが可能となる。また、表示領域についての制御は従来のパーシャル駆動方式と同様であるため、見かけ上の表示領域が減少することなく低消費電力を実現することが可能となる。
【発明を実施するための最良の形態】
【００２０】
本発明の請求項１に記載の発明は、液晶表示パネルに設けた走査電極と信号電極に所定の波形の走査電圧および信号電圧を印加して液晶を駆動するとともに、前記表示パネルの一部の領域を非表示領域とするパーシャル駆動式パッシブ型の液晶表示装置の駆動方法において、前記パーシャル駆動される表示領域の画素ライン以外の非表示領域の画素ラインを、前記表示領域の画素ラインのいずれかに印加する走査電圧と同じ走査電圧で駆動することを特徴とする液晶表示装置の駆動方法としたものであり、表示領域についての制御は従来と同様であるが、非表示領域へも駆動波形を出力することにより、非表示領域がなく自然な表示状態となるという作用を有する。
【００２１】
請求項２に記載の発明は、前記表示領域の少なくとも１つの画素ラインに背景用のダミーラインを設けておき、そのダミーラインに印加する走査電圧と同じ走査電圧を前記非表示領域の画素ラインに印加することを特徴とする請求項１記載の液晶表示装置の駆動方法としたものであり、非表示領域が背景と同じ色となり自然な表示状態となる作用を有する。
【００２２】
請求項３に記載の発明は、液晶表示パネルに設けた走査電極と信号電極に所定の波形の走査電圧および信号電圧を印加して液晶を駆動するとともに、前記表示パネルの一部の領域を非表示領域とするパーシャル駆動式パッシブ型の液晶表示装置の駆動装置において、前記パーシャル駆動される表示領域の画素ライン以外の非表示領域の画素ラインを、前記表示領域の画素ラインのいずれかに印加する走査電圧と同じ走査電圧で駆動する手段を備えたことを特徴とする液晶表示装置の駆動方法としたものであり、表示領域についての制御は従来と同様であるが、非表示領域へも駆動波形を出力することにより、非表示領域がなく自然な表示状態となるという作用を有する。
【００２３】
請求項４に記載の発明は、前記表示領域の少なくとも１つの画素ラインに設けた背景用のダミーラインに印加する走査電圧と同じ走査電圧を前記非表示領域の画素ラインに印加する手段を設けたことを特徴とする請求項３記載の液晶表示装置の駆動装置としたものであり、非表示領域が背景と同じ色となり自然な表示状態となる作用を有する。
【００２４】
以下、本発明の実施の形態について、図１〜図４を用いて説明する。
【００２５】
（実施の形態１）
図１は本発明の実施の形態１に係る液晶表示装置の駆動方法を示す説明図であり、（ａ）は液晶表示パネルと走査電極（ＣＯＭライン１〜ｎ）および信号電極（ＳＥＧライン１〜ｍ）を示し、（ｂ）は各電極に印加する液晶信号駆動電圧を示している。ここで、ＣＯＭ１〜９とＣＯＭ２０〜ｎは、パーシャル駆動で非表示領域Ａ，Ｂとなった電極のラインである。本実施の形態１の駆動装置は、図５の構成と同じであるので、説明を省略する。
【００２６】
本実施形態では、パーシャル駆動で非表示部分となっていた電極のラインＣＯＭ１〜９とＣＯＭ２０〜ｎに対して、図１（ｂ）に示すように、表示領域中のＣＯＭ信号のいずれか（図示の例ではＣＯＭ１０）と同じ信号を出力することにより、非選択領域Ａ，Ｂも表示が可能となる。このとき、デューティ数１０はそのままであるため、実際の表示ＣＯＭ数ｎより少ないデューティ数での表示が可能である。
【００２７】
特に、カラー液晶等で、表示領域にＣＯＭの白線（ダミーライン）を一本設け、その白線に印加する信号と同じ信号を非選択領域Ａ，Ｂの電極ラインへ出力すれば、非選択部分を全て白表示にすることが可能となり、あたかも非表示領域が背景であるという自然な表示状態を表すことができる。
【００２８】
このように、本実施形態では、表示領域の一部のＣＯＭラインと同等のＣＯＭ波形を非表示領域へも出力することにより、従来のパーシャル駆動とほぼ同等の低消費電力を保ったまま、液晶パネル全体の表示を行うことができる。
【００２９】
このような駆動方法は、図２に示すように、例えば携帯電話やページャー等の携帯用電子機器における液晶表示パネル１の待ち受け画面において、時計表示等の走査電極方向の表示領域９が非表示領域１０に対して小さい表示を行う際に適用することができる。
【００３０】
（実施の形態２）
図３および図４は、液晶表示パネル１におけるパーシャル駆動の態様を示すものである。
【００３１】
図３では、液晶表示パネル１における非表示領域１１，１２と表示領域１３のうち、表示領域１３内の１画素ライン１４を非表示領域として使用した例を示している。
【００３２】
図４では、液晶表示パネル１における非表示領域１５，１６と表示領域１７のうち、非表示領域１６の一部をダミーライン１８として使用した例を示している。
【産業上の利用可能性】
【００３３】
パーシャル駆動される表示領域の画素ライン以外の非表示領域の画素ラインを、表示領域の画素ラインのいずれかに印加する走査電圧と同じ走査電圧で駆動することによって、非表示領域を生じることなく低消費電力駆動が必要な用途にも適用できる。
【図面の簡単な説明】
【００３４】
【図１】本発明の実施の形態１に係る液晶表示装置の駆動方法を示す説明図
【図２】本発明のパーシャル駆動の態様を示す液晶表示パネルの例を示す説明図
【図３】本発明のパーシャル駆動の態様を示す液晶表示パネルの例を示す説明図
【図４】本発明のパーシャル駆動の態様を示す液晶表示パネルの例を示す説明図
【図５】パッシブ型液晶表示装置の駆動装置を示すブロック図
【図６】パッシブ型液晶表示装置の駆動装置の駆動方法を示す説明図
【図７】従来のパーシャル駆動方式の説明図
【符号の説明】
【００３５】
１  液晶表示パネル
２  液晶駆動回路
３  液晶駆動電源回路
４  ロジック回路
５  タイミング発生回路
６  インターフェース部
７  プロセッサユニット
８  電源
９  表示領域
１０  非表示領域
１１，１２  非表示領域
１３  表示領域
１４  画素ライン
１５，１６  非表示領域
１７  表示領域
１８  ダミーライン
２０  ドライバーＩＣ
【図１】
2005121781.tif 000003
【図２】
2005121781.tif 000004
【図３】
2005121781.tif 000005
【図４】
2005121781.tif 000006
【図５】
2005121781.tif 000007
【図６】
2005121781.tif 000008
【図７】
2005121781.tif 000009